(57)【要約】      （修正有）【課題】画像を手指でなぞることで動いた画像に表示された各キー部を手指で押すことによって、音や音楽を楽しむことができる玩具の携帯機器を提供する。【解決手段】窓部４ａを設けた筐体と、この筐体の中に設置されたベース台１０と、このベース台の両側に回転可能に設置された一対のローラ１１、１２と、前記ベース台上に重ねて設置された音声発生回路基板１３と、この音声発生回路基板の上に重ねて設置されたメンブレンスイッチ１４と、前記ローラに懸架され前記メンブレンスイッチの上と前記窓部の間を移動可能となるように設けられたエンドレスフィルム１８とを備える。また、このエンドレスフィルムの表面に表示されたそれぞれ複数のアイコン部やキー部などを設けたところの前記窓部に当て嵌まる大きさに区切られた複数の画像と、この画像の位置を検出する位置検出センサーと、前記筐体に設置されたスピーカー８と、を含むように構成する。【選択図】図７
0003177920.tif 000002
【実用新案登録請求の範囲】
【請求項１】
窓部を設けた筐体と、この筐体の中に設置されたベース台と、このベース台の両側に回転可能に設置された一対のローラと、前記ベース台上に重ねて設置された音声発生回路基板と、この音声発生回路基板の上に重ねて設置されたメンブレンスイッチと、前記ローラに懸架され前記メンブレンスイッチの上と前記窓部の間を移動可能となるように設けられたエンドレスフィルムと、このエンドレスフィルムの表面に表示されたそれぞれ複数のアイコン部やキー部などを設けたところの前記窓部に当て嵌まる大きさに区切られた複数の画像と、この画像の位置を検出する位置検出センサーと、前記筐体に設置されたスピーカーと、を含むことを特徴とする、玩具の携帯機器。
【請求項２】
窓部を設けた筐体と、この筐体の中に設置されたベース台と、このベース台の両側に回転可能に設置された一対のローラと、前記ベース台上に重ねて設置された音声発生回路基板と、この音声発生回路基板の上に重ねて設置されたメンブレンスイッチと、このメンブレンスイッチの上に重ねて設置されたレンチュキラーレンズシートと、前記ローラに懸架され前記レンチュキラーレンズシートの上と前記窓部の間を移動可能となるように設けられたエンドレスフィルムと、このエンドレスフィルムの表面に表示されたそれぞれ複数のアイコン部やキー部などを設けたところの前記窓部に当て嵌まる大きさに区切られた複数の画像と、この画像の位置を検出する位置検出センサーと、前記筐体に設置されたスピーカーと、を含むことを特徴とする、玩具の携帯機器。
【請求項３】
前記位置検出センサーは、前記エンドレスフィルムに表示された複数の画像が前記窓部に位置ずれすることなく当て嵌まったことを検出するように構成されていることを特徴とする、請求項１に記載の玩具の携帯機器。
【請求項４】
前記筺体には、電源のオートオフ回路が設けられていることを特徴とする、請求項１に記載の玩具の携帯機器。
【請求項５】
前記音声発生回路基板には、前記位置検出センサーによって検出された前記エンドレスフィルムの画像によって、異なる音声を発生させる音声発生回路が搭載されていることを特徴とする、請求項１に記載の玩具の携帯機器。
【請求項６】
前記位置検出センサーは、反射型の複数のフォトインタラプタと、前記エンドレスフィルムに各画像の位置に対応させて設けた遮光部及び透光部と、前記透光部を通過した光を反射させる光反射部材とを備えていることを特徴とする、請求項１に記載の玩具の携帯機器。
【請求項７】
前記位置検出センサーは、光透過型の複数のフォトインタラプタと、前記エンドレスフィルムに各画像の位置に対応させて設けた遮光部及び透光部と、前記透光部を通過した光を反射させる光反射部材とを備えていることを特徴とする、請求項１に記載の玩具の携帯機器。
【請求項８】
前記位置検出センサーは、前記エンドレスフィルムに設けたバーコードと、このバーコードの読取装置であることを特徴とする、請求項１に記載の玩具の携帯機器。
【請求項９】
前記位置検出センサーは、前記ローラの回転、或はエンドレスフィルムの移動に伴ってＯＮ、ＯＦＦされる機械式のスイッチであることを特徴とする、請求項１に記載の玩具の携帯機器。
【請求項１０】
前記位置検出センサーは、エンドレスフィルムに設けた磁石或は磁性体と、磁気センサーとで構成されていることを特徴とする、請求項１に記載の玩具の携帯機器。
【請求項１１】
前記玩具の携帯機器が、玩具の携帯電話機であることを特徴とする、請求項１〜１０のいずれか１項に記載の玩具の携帯機器。
【考案の詳細な説明】
【技術分野】
【０００１】
本考案は、携帯電話機、携帯ゲーム機、並びにタブレットなどを模した玩具の携帯機器に関する。
【背景技術】
【０００２】
従来、透明なガラス板付の窓部を設けたところの腕時計を模した筐体内部に複数の画像を表示したフィルムを一対のローラの間に懸架させ、これらのローラを筺体外部に設けた摘みで回転させて巻いたり、巻き戻したりすることにより、フィルムに表示された複数の画像を窓部から見ることができるように成し、特定の画像が窓部に表示されると、画像に設けたピンホールから外光が入り、この外光を光センサー式音声ＩＣによって検出し、窓部に表示された画像に合わせたメロディが発音されるように構成した玩具が、下記特許文献１により公知である。
【先行技術文献】
【特許文献】
【０００３】
【特許文献１】実開平３−１１６９００号公報
【考案の概要】
【考案が解決しようとする課題】
【０００４】
上記した従来公知の玩具は、摘みでローラを回転させるものであり、また、画像ごとに発音されるのが１種類のメロディのみであったので、すぐに飽きてしまうという問題がある上に、光の検出手段が１種類であったため、フィルムの巻き込みと巻き戻しを繰り返しているうちに画像とメロディの間にずれが生じてきてしまうといった問題があった。最近はスマートフォン（登録商標）などの携帯電話機に代表されるように、筺体の表面に表示される液晶画面を指先でなぞると画面が変化し、変化した液晶画面に表示されたアイコンやキーなどにタッチすると、各アイコンやキーなどに合わせた様々な機能を利用できるものが、とくに若い人たちの間で流通しつつある。同様な機能は携帯ゲーム機やタブレット等の携帯機器にも用いられており、当然、このような新機能を持ったものに対して子どもたちは興味を示している。
【０００５】
そこで本考案の目的は、携帯機器のように、筺体に表示された液晶画面を模した画像を手指でなぞると画像が動くだけではなく、動いた画像に設けられている複数のアイコン部やキー部などを手指で押すと、押されたアイコン部やキー部に合わせた音や音楽を楽しむことができるように成した、玩具の携帯機器を提供せんとするにある。
【課題を解決するための手段】
【０００６】
上記した目的を達成するために請求項１に記載の玩具の携帯機器は、窓部を設けた筐体と、この筐体の中に設置されたベース台と、このベース台の両側に回転可能に設置された一対のローラと、前記ベース台上に設置された音声発生回路基板と、この音声発生回路基板の上に設置されたメンブレンスイッチと、前記ローラに懸架され前記メンブレンスイッチの上と前記窓部の間を移動可能に設けられたエンドレスフィルムと、このエンドレスフィルムの表面に表示されたそれぞれ複数のアイコン部やキー部などを設けたところの前記窓部に当て嵌まる大きさに区切られた複数の画像と、この画像の位置を検出する位置検出センサーと、前記筐体に設置されたスピーカーとを含むことを特徴とする。
【０００７】
本考案はまた、窓部を設けた筐体と、この筐体の中に設置されたベース台と、このベース台の両側に回転可能に設置された一対のローラと、前記ベース台上に重ねて設置された音声発生回路基板と、この音声発生回路基板の上に重ねて設置されたメンブレンスイッチと、このメンブレンスイッチの上に重ねて設置されたレンチュキラーレンズシートと、前記ローラに懸架され前記レンチュキラーレンズシートの上と前記窓部の間を移動可能となるように設けられたエンドレスフィルムと、このエンドレスフィルムの表面に表示されたそれぞれ複数のアイコン部やキー部などを設けたところの前記窓部に当て嵌まる大きさに区切られた複数の画像と、この画像の位置を検出する位置検出センサーと、前記筐体に設置されたスピーカーと、を含むことを特徴とする。
【０００８】
本考案においては、位置検出センサーは、エンドレスフィルムに表示された複数の画像が窓部に位置ずれすることなく当て嵌まったことを検出するように構成されていることを特徴とする。
【０００９】
本考案はさらに前記筺体に、オートオフ回路を設けることが好ましい。
【００１０】
また、本考案においては、前記音声発生回路基板に、前記位置検出センサーによって検出された前記エンドレスフィルムの画像によって、異なる音声を発生させる音声発生回路が搭載されていることを特徴とする。
【００１１】
さらに、本考案においては、前記位置検出センサーを、反射型の複数のフォトインタラプタと、前記エンドレスフィルムに前記各画像の位置に対応させて設けた遮光部及び透光部と、前記透光部を通過した光を反射させる光反射部材とを備えていることを特徴とする。
【００１２】
さらに、本考案においては、前記位置検出センサーを、光透過型の複数のフォトインタラプタと、前記エンドレスフィルムに前記各画像の位置に対応させて設けた遮光部及び透光部と、前記透光部を通過した光を反射させる光反射部材とを備えていることを特徴とする。
【００１３】
さらに、本考案においては、前記位置検出センサーを、前記エンドレスフィルムに設けたバーコードと、このバーコードの読取装置と、で構成することもできる。
【００１４】
さらに本考案においては、前記位置検出センサーを、前記ローラの回転、或はエンドレスフィルムの移動に伴ってＯＮ、ＯＦＦされる機械式のスイッチで、構成することができる。
【００１５】
さらに本考案においては、前記位置検出センサーを、エンドレスフィルムに設けた磁石或は磁性体と、磁気センサーとで、構成することができる。
【００１６】
そして、本考案は、前記玩具の携帯機器を玩具の携帯電話機とすることが最も好ましい。
【考案の効果】
【００１７】
本考案は以上のように構成したので、まず、玩具の携帯機器の筐体を手に取り、窓部越しに直接エンドレスフィルムにタッチして左右いずれかの方向へ移動させ、該エンドレスフィルムに印刷表示されているアイコン部やキー部などを設けた画像の一つが、窓部に当て嵌まった状態にさせた後、各画像に表示されたアイコン部やキー部や図柄を手指で押すと、位置検出センサーが常に特定の画像をずれることなく検出して音声発生回路基板をＯＮさせるので、各アイコン部やキー部を手指で押すと、押されたアイコン部やキー部などに対応する音や音楽が常に正確に音声発生回路基板からスピーカーを介して外部へ発音される。
【００１８】
次いで、エンドレスフィルムをさらに手指で左右に移動させると画像が移動して、本物の携帯電話機の画面を操作したときのように、次のアイコン部やキー部などを設けた画像が筐体の窓部に現れるので、その画像の移動を楽しむことができ、移動してきた次の画像を窓部に合わせ、画像に表示された各アイコン部やキ―部などを押すと、そのアイコン部やキー部などの図柄に対応した音声や音楽が音声発生回路基板を介してスピーカーより発音されるので、子供達は様々な音声や音楽をも楽しむことができるものである。
【００１９】
画像が窓部の位置に合致しないと位置検出センサーが動作しないので、各画像の各アイコン部や各キー部を押しても音声は発生しない。
【図面の簡単な説明】
【００２０】
【図１】本考案に係る玩具の携帯機器の平面図である。
【図２】本考案に係る玩具の携帯機器の底面図である。
【図３】本考案に係る玩具の携帯機器の側面図である。
【図４】本考案に係る玩具の携帯機器の上部ケース体を取って見た状態の平面図である。
【図５】図１に示した本考案に係る玩具の携帯機器のＡ-Ａ線断面図である。
【図６】図１に示した本考案に係る玩具の携帯機器のＢ-Ｂ線断面図である。
【図７】本考案に係る玩具の携帯機器の分解斜視図である。
【図８】本考案に係る玩具の携帯機器の回路構成を示すブロック図である。
【図９】本考案に係る玩具の携帯機器の動作を説明する説明図である。
【図１０】本考案に係る玩具の携帯機器の動作を説明する説明図である。
【考案を実施するための形態】
【００２１】
以下に本考案の１実施例を玩具の携帯機器の一種である玩具の携帯電話機に実施した場合について説明するが、本考案はこのものに限定されず、玩具のゲーム機器や玩具のタブレット等の各種携帯機器にも適用できるものである。
【実施例１】
【００２２】
図面によれば、指示記号１で示したものが、携帯機器の１例としての玩具の携帯電話機であり、指示記号２はその筐体である。この筐体２は、平面矩形状を呈した下部ケース体３と、同じく平面矩形状を呈した上部ケース体４とから構成されている。
【００２３】
下部ケース体３は、底部を湾曲化させたもので、その中央部には上方へ盛り上がった形状で下部解放の電池収容凹部３ａが設けられ、この電池収容凹部３ａ内に電池５ａ、５ａから成る電源５が収納され、下部開放の部分には電池蓋５ｂが取付ネジ５ｃで着脱可能に取り付けられている。尚、電源５の電池５ａ、５ａは、例えば単IV電池であるがこのものに限定されず、ボタン電池その他の電池に代えることができる。下部ケース体３の内側にはその四隅に上部ケース体４の取付用のボス部３ｂ、３ｂ・・が突設されると共に、この上部ケース体取付用のボス部３ｂ、３ｂ・・の内側に位置して、後述するベース台１０を取り付けるベース台取付用のボス部３ｃ、３ｃ・・が設けられている。下部ケース体３にはまた、スピーカー８を取り付けるスピーカー取付部３ｄが設けられており、このスピーカー取付部３ｄにスピーカー８が設置固定される構成である。また、下部ケース体３には、スピーカ取付部３ｄの反対側でベース台取付用のボス部３ｃ、３ｃより内側に位置して、後述する光反射部材１９を取りつける一対のボス部１９ａ、１９ａが設けられている。さらに、スピーカー取付部３ｄには、外側に向けて複数の小さい透孔から成る小孔部３eが設けられている。
【００２４】
上部ケース体４には、その中央部に位置して矩形状を呈した窓部４ａが設けられ、下部ケース体３の上部ケース体取付用のボス部３ｂ、３ｂ・・へ、取付ネジ６、６・・で取り付けられる構成である。
【００２５】
本考案に係るエンドレスフィルム１８の駆動部や回路部は、下部ケース体３に取り付けられている。まず、一番下側から、平面略矩形状を呈したベース台１０が、その上部と下部に設けた取付片１０ａ、１０ａ・・を下部ケース体３のベース台取付用のボス部３ｃ、３ｃ・・に取付ネジ９、９・・を介して取り付けられており、その上部と下部の両側からは、後述する左右一対のローラ１１、１２の軸部１１ａ、１１ｂ・１２ａ、１２ｂを回転可能に軸支する軸支部１０ｂ、１０ｂ・・が設けられている。
【００２６】
ベース台１０上には、同じく平面矩形状を呈した音声発生回路基板１３が重ね合わされて、例えばその周縁部を図示してない両面テープで接着することにより取り付けられると共に、この音声発生回路基板１３の上部に重ね合わされて、同じく平面略矩形状のメンブレンスイッチ１４が、同じくその周縁部を図示してない両面テープで接着させることにより取り付けられている。さらに、このメンブレンスイッチ１４の上部に重ね合わされてレンチュキラーレンズシート１５が、同じく図示してない両面テープで接着することにより取り付けられている。尚、音声発生回路基板１３、メンブレンスイッチ１４、レンチュキラーレンズシート１５は、ベース台１０上に取付ネジや接着剤で取り付けても良い。音声発生回路基板１３には、図８に示したように、音声発生回路２０、位置検出センサー１７の位置検出回路２１、及び、オートオフ回路２２が搭載されている。音声発生回路２０は、具体的な回路図は省略するが、同じ位置のアイコン部ａやキー部ｂが押されても、位置検出センサー１７によって検出されたところの窓部４ａに合致して表示されている後述する画像Ａ、Ｂ、Ｃによって、発生させる各種音や音楽を異ならせる回路である。オートオフ回路２２は、無操作２〜３分程度で、自動的に回路をＯＦＦさせる回路であり、具体的な回路図は省略する。回路図の省略は、位置検出回路２１も同様であるが、位置検出センサー１７が検出した各画像の位置情報を音声発声回路２０へ伝達する回路である。したがって、単に位置検出センサー１７というよりは概念が広い。オートオフ回路２２は、筺体２に電源スイッチを設け、手動による回路のＯＮ、ＯＦＦ機能を持たせても良い。
【００２７】
ベース台１０に設けた左右一対ずつの軸支部１０ｂ、１０ｂ・・には、一対のローラ１１、１２の両端部に設けた小径の軸部１１ａ、１１ｂ・１２ａ、１２ｂが回転可能に軸支されており、この一対のローラ１１、１２に３種類の画像Ａ、Ｂ、Ｃをそれぞれ区切って表示したエンドレス状のエンドレスフィルム１８が懸架されている。このエンドレスフィルム１８は、光不透過性材質のものであり、一対のローラ１１、１２に懸架されて、ベース台１０の下側とレンチュキラーレンズシート１５の上側で窓部４ａの下側を通るように構成されており、このエンドレスフィルム１８に表示されたそれぞれの画像Ａ、Ｂ、Ｃが窓部４ａを介して外部から見ることができるようになっている。実施例では図１、図４、図９、及び図１０に示したように、画像Ａと画像Ｂには、それぞれ複数のアイコン部ａ、ｃやキー部ｂが設けられている。尚、画像Ｃは少し趣を異ならせて、人形の図形ｅとアイコン部ｄが配置されている。また、レンチュキラーレンズシート１５はこれを省略しても本願考案の目的は達成でき、その場合には、エンドレスフィルム１８は、メンブレンスイッチ１４の上側に接して位置することになる。
【００２８】
位置検出センサー１７は、実施例のものは、赤外線を利用した光反射型の一対の第１フォトインタラプタ１７ａ及び第２フォトインタラプタ１７ｂと、これらの第１フォトインタラプタ１７ａ及び第２フォトインタラプタ１７ｂと対向させて、エンドレスフィルム１８に所定間隔を空けて設けたそれぞれ各一対の遮光部１８ａ、１８ｂ及び遮光部１８ｃ、１８ｄと、この遮光部１８ａ、１８ｂ及び遮光部１８ｃ、１８ｄ以外の透光部１８ｅと、後述する光反射部材１９とから構成されている。その具体的構成は、ベース台１０の下部に所定間隔を空けて一対の光反射型の第１フォトインタラプタ１７ａ及び第２フォトインタラプタ１７ｂが設置されており、エンドレスフィルム１８の方には、適宜間隔を空けて各一対の遮光部１８ａ、１８ｂと遮光部１８ｃ、１８ｄと、この遮光部１８ａ、１８ｂ及び遮光部１８ｃ、１８ｄ以外の部分を占める透光部１８ｅが設けられている。そして、これらの遮光部１８ａ、１８ｂ及び遮光部１８ｃ、１８ｄと対向させて下部ケース体３に設けたボス部１９ａ、１９ａ上には反射鏡などの光反射部材１９が設置されている。透光部１８ｅは、エンドレスフィルム１８が透明な光透過性のものである場合には、遮光部１８ａ、１８ｂ及び遮光部１８ｃ１８ｄと対向する部分以外が透光部１８ｅになるものである。この場合、遮光部１８ａ〜１８ｄはエンドレスフィルム１８上に印刷されることが好ましい。
【００２９】
以下に本考案の作用について説明する。今、図１に示したように、窓部４ａにエンドレスフィルム１８の複数のアイコン部ａを表示した画像Ａが当該窓部４ａと合致した位置（つまり、アイコン部ａが全て窓部内に表示されているとき）にあるときに、アイコン部ａのどれかを押すと、自動的に音声発生回路基板１３の音声発生回路２０と位置検出センサー１７の位置検出回路２１がＯＮされ、位置検出センサー１７の第１フォトインタラプタ１７ａ及び第２フォトインタラプタ１７ｂが点灯して、図６に示したように、第１フォトインタラプタ１７ａの発光素子ｆから発した光(赤外線)が遮光部１８ａに反射され、受光素子ｇに到達しないのでＯＦＦ状態であるが、第２フォトインタラプタ１７ｂの発光素子ｈから発した赤外光が透光部１８ｅを通過し、受光素子ｉに到達することからＯＮ状態となるので、これによって位置検出回路２１が窓部４ａに表れている画像Ａを検出し、音声発生回路基板１３の音声発生回路２０へ画像Ａ用の音声を発音させるように指示することから、各アイコン部ａを押すと、その押し圧力はレンチュキラーレンズシート１５を介してメンブレンスイッチ１４へ伝わり、このメンブレンスイッチ１４の押された部分が、音声発生回路基板１３の音声発生回路２０の各スイッチをＯＮさせるので、この押された各アイコン部ａの絵に合わせ音や、おしゃべり、或は音楽などがスピーカー８より発音させられるものである。
【００３０】
また、電源スイッチを設けた場合には、この電源スイッチを押した際に、音声発生回路２０からスピーカー８を介して各種音や音楽などの音声を発音するように構成したり、図示してない表示灯が点灯するように構成しても良い。
【００３１】
次に、窓部４ａを介して手指でエンドレスフィルム１８に直接タッチして左右いずれかの方向へずらせると、ローラ１１、１２が回転してずらせた方向にエンドレスフィルム１８が移動し、次の画像ＢやＣが窓部４ａに移動してくるので、例えば図９に示したように、画像Ｂ全体が窓部４ａに当て嵌まったところで、図６に示したように、位置検出センサー１７の第１フォトインタラプタ１７ａの発光素子ｆから発した光(赤外線)が透光部１８ｅを通過し、光反射部材１９に反射されて受光素子ｇに入射されることからＯＮされ、第２フォトインタラプタ１７ｂの発光素子ｈから発した赤外光が遮光部１８ｃに反射されて受光素子ｉに到達しないことからＯＦＦとなり、位置検出回路２１が窓部４ａに表れている画像Ｂを検出する。そこでエンドレスフィルム１８上の画像Ｂに表示されたアイコン部ｃや各種数字のキー部ｂを押すと、その押圧力がメンブレンスイッチ１４を介して音声発生回路基板１３上の各種スイッチをＯＮさせることから、音声発生回路２０を通して外部へ発音されるものである。例えば、受話器のマークのアイコン部ｃを押して、数字のキー部ｂを３個押すと、電話がつながった形となり、スピーカー８から会話が聞こえてき、音楽のト音記号のアイコン部ｃを押すと、各キー部ｂに表示されたドレミファソラシドの音階の音が聞こえてきて、曲を弾くことができるなどである。
【００３２】
同様に、エンドレスフィルム１８を移動させて画像Ｃが窓部４ａと合致したときには、位置検出センサー１７の第１フォトインタラプタ１７ａ及び第２フォトインタラプタ１７ｂが、共に遮光部１８ｂと１８ｄと対向状態となって、それぞれの発光素子ｆとｈから発した赤外光がそれぞれの受光素子ｇとｉに到達しないので、両方共にＯＦＦ状態となり、位置検出回路２１が画像Ｃが窓部４ａに合致したことを検出するので、図１０に示したように、エンドレスフィルム１８上の画像Ｃに表示されたアイコン部ｄや図柄ｅを押すと、その押圧力がメンブレンスイッチ１４を介して音声発生回路基板１３上の各種スイッチをＯＮさせることから、音声発生回路２０を介して画像Ｃのアイコン部ｄや図柄ｅに合わせた各種音や音楽がスピーカー８を通して外部へ発音されるものである。例えば、音符のマークを表示したアイコン部ｄを押すと、音楽が聞こえてくるものであり、この曲目は図柄ｅを順次押すことにより複数種類の音楽を聞くことができるものである。そしてシンバルやホイッスルや太鼓を表示したアイコン部ｄを押すと、それぞれの曲にこれら各楽器の音を重ねることができるなどである。尚、各画像Ａ、Ｂ、Ｃに表示された各アイコン部やキー部や図柄を押した際に発生される音や、おしゃべりや音楽等は、上記したものは１例であってこれらのものに限定されない。
【００３３】
また、画像Ａ、Ｂ、Ｃのどれもが窓部４ａに合致していない場合には、窓部４ａに現われている各画像Ａ、Ｂ、Ｃの各アイコン部ａ、ｃ、ｄやキー部ｂや図柄ｅを押し、第１フォトインタラプタ１７ａと第２フォトインタラプタ１７ｂを点灯させても、第１フォトインタラプタ１７ａと第２フォトインタラプタ１７ｂは、エンドレスフィルム１８の透光部１８ｅと対向しており、それぞれの発光素子ｆとｈから発した赤外光が透光部１８ｅを通過して光反射部材１９によって反射され、受光素子ｇとｉに到達することから共にＯＮ状態となる。この状態を位置検出回路２１は画像Ａ、Ｂ、Ｃのどれもが窓部４ａに合致していないことを検出するので、さらに各アイコン部ａ、ｃ、ｄやキー部ｂや図柄ｅを押しても音声発生回路２０は動作しないことになる。
【００３４】
尚、実施例では、位置検出センサー１７のフォトインタラプタが第１フォトインタラプタ１７ａ及び第２フォトインタラプタ１７ｂの２つであり、遮光部が１８ａ、１８ｂ、１８ｃ、１８ｄの４個であり、他は透光部１８ｅであることから、エンドレスフィルム１８には３種類の画像が表示されているが、各画像Ａ、Ｂ、Ｃの位置の検出は、位置検出センサー１７の第１フォトインタラプタ１７ａ及び第２フォトインタラプタ１７ｂが遮光部１８ａ、１８ｂ、１８ｃ、１８ｄとの位置関係で個々にＯＮされる場合と、同時にＯＦＦされる場合と、透光部１８ｅとの位置関係で両方共ＯＮされる場合の４種類での検出が可能である。例えば、上述したように、第１フォトインタラプタ１７ａがＯＦＦで第２フォトインタラプタ１７ｂがＯＮの場合には画像Ａが、第１フォトインタラプタ１７ａがＯＮで、第２フォトインタラプタ１７ｂがＯＦＦの場合には画像Ｂが、第１フォトインタラプタ１７ａ及び第２フォトインタラプタ１７ｂが同時にＯＦＦのときは画像Ｃが、そして、第１フォトインタラプタ１７ａ及び第２フォトインタラプタ１７ｂが共に透光部１８ｅと対向してＯＮされているときには、画像Ａ、Ｂ、Ｃの各位置が窓部４ａからずれていることを検出していることになる。即ち、本発明においては、特定の画像Ａ、Ｂ、Ｃのどれかが窓部４ａに合致したときに、その各画像Ａ、Ｂ、Ｃに合わせた音声がスピーカー８より発音され、画像とその画像に合わせた音声とがずれることがないものである。尤も、第１フォトインタラプタ１７ａと第２フォトインタラプタ１７ｂのＯＮ、ＯＦＦ状態が、どの画面が窓部４ａと合致しているか、或は画面が窓部４ａと合致していないかを検出するかは任意であり、上記したものに限定されない。
【００３５】
玩具の携帯電話機１使用し終わったら、２〜３分程度経過すると、オートオフ回路２２が動作し電源が切られるので、音声発生回路基板１３や位置検出センサー１７に電流が供給されなくなる。玩具の携帯電話機１は自動的にＯＦＦ状態となる。
【００３６】
次に、以上に実施例では、位置検出センサー１７に光反射型のフォトインタラプタを用いたが、光透過型のフォトインタラプタを用いても良い。この場合にはエンドレスフィルム１８の適宜箇所に透光部や遮光部を設け、発光素子より発した光がこの透光部を介して受光素子に受光されたり、受光されなかったりして、画像の位置を検出するものである。
以上の説明では、透明のエンドレスフィルム１８を用い、４個の遮光部１８ａ〜１８ｄを設ける構成としたが、光不透過性のエンドレスフィルムを用いて、４個の透光部を設けるようにしてもよい。さらに、位置検出センサー１７は、エンドレスフィルム１８に表示された図示してないバーコードの読取装置であっても良い、さらに、必要ならば、図示してないが、ローラの回転、或はエンドレスフィルムの移動に伴ってＯＮ、ＯＦＦされる公知構成の機械式のスイッチ装置や、エンドレスフィルムに付着させた磁石、或は磁性体を用いた公知構成の磁気センサー、さらにはホールＩＣを用いることも可能である。尚、機械式のスイッチ装置にあっては、ローラの一方に作動ギヤを設け、このギヤに噛ませた中間ギヤに設けた複数の突起を介して複数のスイッチをＯＮ、ＯＦＦする構成とすることができ、さらに、エンドレスフィルムの位置ずれを防止するために、各ローラにスプロケットを設け、このスプロケットの歯にエンドレスフィルムの外周に設けた複数の孔部を噛み合わせる構成とすることができる。
【産業上の利用可能性】
【００３７】
本考案は以上のように構成したので、とくに携帯電話機、ゲーム機、タブレットなどを模した玩具の端末機器として好適に用いられるものである。
【符号の説明】
【００３８】
ａ、ｃ、ｄ  アイコン部
ｂ  キー部
Ａ、Ｂ、Ｃ  画像
１  玩具の携帯電話機
２  筐体
３  下部ケース体
４  上部ケース体
４ａ  窓部
５  電源
８  スピーカー
１０  ベース台
１１、１２  ローラ
１３  音声発生回路基板
１４  メンブレンスイッチ
１５  レンチュキラーレンズシート
１７  位置検出センサー
１７ａ  第１フォトインタラプタ
１７ｂ  第２フォトインタラプタ
１８  エンドレスフィルム
１８ａ、１８ｂ、１８ｃ、１８ｃ  遮光部
１８ｅ  透光部
１９  光反射部材
２０  音声発生回路
２１  位置検出回路
２２  オートオフ回路
【図１】
0003177920.tif 000003
【図２】
0003177920.tif 000004
【図３】
0003177920.tif 000005
【図４】
0003177920.tif 000006
【図５】
0003177920.tif 000007
【図６】
0003177920.tif 000008
【図７】
0003177920.tif 000009
【図８】
0003177920.tif 000010
【図９】
0003177920.tif 000011
【図１０】
0003177920.tif 000012